(57)【要約】【課題】使用時にリストバンド部を容易に分離可能としながらも、複数のリストバンドを共通のシートを用いて分離可能に構成した場合にリストバンド毎にごみを発生させない。【解決手段】一方の面に貼着層２０が積層され、リストバンド部１１ａと台座部１１ｂとがスリット１３を介して分離可能に形成されたラベル基材１０と、ラベル基材１０の端部領域のうち、リストバンド部１１ａの台座部１１ｂからの分離開始端側の端部領域に貼着層２０を介して剥離可能に貼着された剥離シート４０と、ラベル基材１０の剥離シート４０が貼着された領域を除く全面に貼着層２０を介して貼着された保護シート３０とを有し、剥離シート４０は、ラベル基材１０に貼着された保護のシート３０上の一部に重なっている。【選択図】図１
2019002992.tif 000002
【特許請求の範囲】
【請求項１】
一方の面の全面に貼着層が積層され、リストバンド部と該リストバンド部を取り囲む台座部とが切り離し線または分離線を介して分離可能に形成された第１のシートと、
前記第１のシートの端部領域のうち、少なくとも、前記リストバンド部の前記台座部からの分離開始端を含む該分離開始端側の第１の端部領域に前記貼着層を介して剥離可能に貼着された剥離シートと、
前記第１のシートの前記剥離シートが貼着された領域を除く全面に前記貼着層を介して貼着された第２のシートとを有し、
前記剥離シートは、前記第１のシートに貼着された前記第２のシート上の一部に重なっている、リストバンド用積層体。
【請求項２】
請求項１に記載のリストバンド用積層体において、
前記貼着層は、前記リストバンド部が当該貼着層によって前記剥離シート以外の貼着領域に貼着された後に剥離された場合に当該剥離を検知可能とする検知機能を有する、リストバンド用積層体。
【請求項３】
請求項１または請求項２に記載のリストバンド用積層体において、
前記剥離シートは、前記第１の端部領域と、前記第１のシートの端部領域のうち、前記リストバンド部の前記台座部からの分離終了端を含む該分離終了端側の第２の端部領域に前記貼着層を介して剥離可能に貼着されている、リストバンド用積層体。
【発明の詳細な説明】
【技術分野】
【０００１】
本発明は、リストバンド部が分離可能に区画形成された第１のシートの一方の面の一部に貼着層を介して第２のシートが貼着され、リストバンド部が第１のシートから分離されて手首等に装着されるリストバンド用積層体に関する。
【背景技術】
【０００２】
従来、病院等において、検査や治療のために入院する患者の手首や足首にリストバンドを装着させ、このリストバンドを用いて患者を識別、管理することが行われている。この場合、リストバンドの表面に、患者の氏名や病棟名等の情報を印字または記入しておき、この情報を読み取ることによって、患者を識別、管理することになる。また、近年においては、イベント等においてもリストバンドが利用されている。その場合、バーコード等の識別情報が印刷されたリストバンドをイベントへの参加者に配布し、イベントの参加者の手首等に装着されたリストバンドから識別情報を読み取ることによって参加者を識別、管理することになる。
【０００３】
このようなリストバンドとしては、２枚のシート基材が貼着剤層によって貼着されたものが考えられ、例えば、特許文献１に開示されている。特許文献１に開示されたリストバンドは、貼着剤層を介して貼着された２枚のシート基材に、リストバンドを輪郭付ける切り込みが形成されており、２枚のシート基材がこの切り込みに沿って切り離されることでリストバンドが形成されるものである。このリストバンドには、バンド孔とセット孔とが形成されており、これらバンド孔とセット孔とが重ね合わされた状態で止め具が通されることで、手首等に装着された状態で固定されることになる。ところが、このようなリストバンドは、手首等に装着された状態で固定するために止め具が必要となるため、止め具が突出することで手首等が傷ついたり、止め具が脱落、紛失してリストバンドを手首等に装着された状態で固定することができなくなったりする場合がある。
【０００４】
そこで、両面テープ等の貼着層を用いて、手首等に装着されたリストバンドを固定することが考えられる。しかしながら、そのような構成においては、貼着層がリストバンドの内側に表出していると、リストバンドを手首等に装着した際、貼着層が手首等に接触し、不快感が生じたり、皮膚にかゆみ等の異常が生じたりする場合がある。
【０００５】
ここで、薄膜ベースフィルムの表裏にコーティング層が積層され、その一部に粘着テープが積層されたリストバンドが、例えば、特許文献２に開示されている。このような構成とすることで、手首等に装着されたリストバンドを貼着層によって固定可能としながらも、手首等に装着された場合に、不快感が生じることがなく、皮膚に対するトラブルも回避することができる。
【先行技術文献】
【特許文献】
【０００６】
【特許文献１】特開２００６−８５２３９号公報
【特許文献２】特開２０１５−２２３１２号公報
【発明の概要】
【発明が解決しようとする課題】
【０００７】
しかしながら、特許文献２に開示されたものにおいては、粘着テープの剥離紙を剥離して使用することになるため、使用時に粘着テープによるごみが発生することになるが、製造効率や使用時における作業効率を向上させるために複数のリストバンドを共通のシートを用いて互いに分離可能に構成した場合でも、粘着テープの剥離紙によるごみがリストバンド毎に発生してしまうという問題点がある。
【０００８】
本発明は、上述したような従来の技術が有する問題点に鑑みてなされたものであって、リストバンド部が分離可能に区画形成された第１のシートの一方の面の一部に貼着層を介して第２のシートが貼着され、リストバンド部が第１のシートから分離されて手首等に装着されて貼着層を用いて固定される構成において、使用時にリストバンド部を第２のシートのリストバンド部に対向する領域とともに第１及び第２のシートから容易に分離可能としながらも、複数のリストバンドを共通のシートを用いて互いに分離可能に構成した場合にリストバンド毎にごみを発生させることがないリストバンド用積層体を提供することを目的とする。
【課題を解決するための手段】
【０００９】
上記目的を達成するために本発明は、
一方の面の全面に貼着層が積層され、リストバンド部と該リストバンド部を取り囲む台座部とが切り離し線または分離線を介して分離可能に形成された第１のシートと、
前記第１のシートの端部領域のうち、少なくとも、前記リストバンド部の前記台座部からの分離開始端を含む該分離開始端側の第１の端部領域に前記貼着層を介して剥離可能に貼着された剥離シートと、
前記第１のシートの前記剥離シートが貼着された領域を除く全面に前記貼着層を介して貼着された第２のシートとを有し、
前記剥離シートは、前記第１のシートに貼着された前記第２のシート上の一部に重なっている。
【００１０】
上記のように構成された本発明においては、リストバンド部を持ち上げるようにして剥離シートから剥離して台座部から分離していくと、リストバンド部の一方の面においては、台座部からの分離開始端において貼着層が表出し、その他の領域において第２のシートが貼着層によって貼着された状態となる。その際、第１のシートの一方の面に貼着された剥離シートと第２のシートとは、第１のシートの剥離シートが貼着された領域を除く全面に第２のシートを貼着する際におけるずれを考慮してその一部が重なっているものの、第１のシートに貼着された第２のシート上に剥離シートが重なっているため、第２のシートのリストバンド部に対向する領域が、第２のシートの台座部に対向する領域から分離してリストバンド部とともに持ち上がる際に剥離シートに引っかかることがない。そして、リストバンド部と第２のシートのリストバンド部に対向する領域が第１及び第２のシートから分離した後、リストバンド部及び第２のシートのリストバンド部に対向する領域が、リストバンド部が外側となるように手首等に巻き付けられ、リストバンド部の台座部からの分離開始端が、リストバンド部の他の領域に貼着層によって貼着されることで、固定されることになる。一方、リストバンド部と第２のシートのリストバンド部に対向する領域が第１及び第２のシートから分離すると、剥離シートは、第２のシートの台座部に対向する領域とともに第１のシートの台座部に貼着された状態となる。そのため、製造効率や使用時における作業効率を向上させるために複数のリストバンド部を共通のシートを用いて互いに分離可能に構成した場合でも、リストバンド部毎にごみが発生してしまうことがない。
【００１１】
また、貼着層が、リストバンド部が貼着層によって剥離シート以外の貼着領域に貼着された後に剥離された場合にその剥離を検知可能とする検知機能を有するものであれば、リストバンド部の台座部からの分離開始端が、リストバンド部の他の領域に貼着層によって貼着された後に不正に剥離されたことを検知することができるが、リストバンド部を台座部から分離していく際に第２のシートのリストバンド部に対向する領域が剥離シートに引っかかってしまうと、リストバンド部と第２のシートのリストバンド部に対向する領域とが剥離してしまい、その後、それらを貼着した場合、貼着層の検知機能によって不正に剥離したものと判断されてしまうことになる。そのため、上記のように、リストバンド部を台座部から分離していく際に第２のシートのリストバンド部に対向する領域が剥離シートに引っかからない構成とすることで、リストバンド部が不正に剥離されたと誤って判断されることを回避できる。
【００１２】
また、剥離シートが、第１の端部領域と、第１のシートの端部領域のうち、リストバンド部の台座部からの分離終了端を含む分離終了端側の第２の端部領域に貼着層を介して剥離可能に貼着されている構成とすれば、リストバンド部の台座部からの分離終了端が、第２のシートのリストバンド部に対向する領域に貼着層によって貼着されることによっても、手首等に装着されたリストバンド部を固定することができる。
【発明の効果】
【００１３】
本発明によれば、リストバンド部と台座部とが分離可能に構成された第１のシートの一方の面に貼着された剥離シートと第２のシートとが、第１のシートの剥離シートが貼着された領域を除く全面に第２のシートを貼着する際におけるずれを考慮してその一部が重なっているものの、第１のシートに貼着された第２のシート上に剥離シートが重なっているため、リストバンド部を持ち上げるようにして剥離シートから剥離して台座部から分離していく際、第２のシートのリストバンド部に対向する領域が剥離シートに引っかかることがなく、使用時にリストバンド部を第２のシートのリストバンド部に対向する領域とともに第１及び第２のシートから容易に分離することができる。また、リストバンド部と第２のシートのリストバンド部に対向する領域が第１及び第２のシートから分離すると、剥離シートが、第２のシートの台座部に対向する領域とともに第１のシートの台座部に貼着されたままの状態となるため、製造効率や使用時における作業効率を向上させるために複数のリストバンド部を共通のシートを用いて互いに分離可能に構成した場合でも、リストバンド部毎にごみが発生してしまうことがない。
【００１４】
また、貼着層が、リストバンド部が貼着層によって剥離シート以外の貼着領域に貼着された後に剥離された場合にその剥離を検知可能とする検知機能を有するものにおいては、リストバンド部の台座部からの分離開始端が、リストバンド部の他の領域に貼着層によって貼着された後に不正に剥離されたことを検知することができる。その際、リストバンド部を台座部から分離していく際に第２のシートのリストバンド部に対向する領域が剥離シートに引っかかってしまうと、リストバンド部と第２のシートのリストバンド部に対向する領域とが剥離してしまい、その後、それらを貼着した場合、貼着層の検知機能によって不正に剥離したものと判断されてしまうことになるが、上記のように、リストバンド部を台座部から分離していく際に第２のシートのリストバンド部に対向する領域が剥離シートに引っかからない構成とすることで、リストバンド部が不正に剥離されたと誤って判断されることを回避できる。
【００１５】
また、剥離シートが、第１の端部領域と、第１のシートの端部領域のうち、リストバンド部の台座部からの分離終了端を含む分離終了端側の第２の端部領域に貼着層を介して剥離可能に貼着されているものにおいては、リストバンド部の台座部からの分離終了端が、第２のシートのリストバンド部に対向する領域に貼着層によって貼着されることによっても、手首等に装着されたリストバンド部を固定することができる。
【図面の簡単な説明】
【００１６】
【図１】本発明のリストバンド用積層体の実施の一形態を示す図であり、（ａ）は表面図、（ｂ）は（ａ）に示したＡ−Ａ’断面図、（ｃ）は裏面図である。
【図２】図１に示したリストバンド用積層体の製造方法を説明するための図である。
【図３】図１に示したリストバンド用積層体からリストバンド部を分離する際の作用効果を説明するための図であり、（ａ）はリストバンド部を分離し始める際の表面図、（ｂ）は剥離シート上に保護シートが重なっている場合の作用を説明するための断面図、（ｂ）は保護シート上に剥離シートが重なっている場合の作用を説明するための断面図である。
【図４】図１に示したリストバンド用積層体から分離したリストバンド部及びこれに貼着された保護部の使用状態を示す断面図である。
【図５】本発明のリストバンド用積層体の実際の使用形態の一例を示す図である。
【図６】図１に示したリストバンド用積層体においてリストバンド部の装着後の不正な取り外しを検知可能とする貼着層の一構成例を示す図である。
【発明を実施するための形態】
【００１７】
以下に、本発明の実施の形態について図面を参照して説明する。
【００１８】
図１は、本発明のリストバンド用積層体の実施の一形態を示す図であり、（ａ）は表面図、（ｂ）は（ａ）に示したＡ−Ａ’断面図、（ｃ）は裏面図である。
【００１９】
本形態は図１に示すように、帯状のラベル基材１０の裏面に貼着層２０を介して保護シート３０及び剥離シート４０が貼着されてなるリストバンド用積層体１である。
【００２０】
ラベル基材１０は、本願発明における第１のシートとなるものであって、紙等の印字特性に優れた材料からなり、その表面に印刷が施されることで印刷層５０が積層されているとともに、印刷層５０を覆ってその全面に透明な樹脂等からなるラミネータ６０が積層されている。ラベル基材１０の裏面にはその全面に粘着剤または接着剤が塗布されることで貼着層２０が積層されている。このように積層されたラミネータ６０、印刷層５０、ラベル基材１０及び貼着層２０には、分離線としてスリット１３が細長いレーストラック状に形成されており、その内側がリストバンド部１１、外側が台座部１２となっている。リストバンド部１１には、使用されるイベント名や装着される患者等の氏名等が印刷されることで印刷層５０が積層され、台座部１２には、リストバンド部１１の装着方法等が印刷されることで印刷層５０が積層される。なお、スリット１３の代わりに、ミシン目等からなる切り離し線を用いてもよい。また、ラミネータ６０は、印刷層５０上にニスを塗布することで代用してもよく、不要であれば設けなくてもよい。また、リストバンド部１１には、リストバンド部１１を台座部１２から分離する際の分離終了端側にミシン目１４が保護シート３０に達するまで形成されている。
【００２１】
剥離シート４０は、剥離台紙の一方の面の全面にシリコン等の剥離剤が塗布されて構成され、剥離剤が塗布された面が貼着層２０との積層面となっていることで、ラベル基材１０に剥離可能に貼着されている。剥離シート４０は、ラベル基材１０の長手方向両端部から所定の幅だけに貼着されている。
【００２２】
保護シート３０は、本願発明における第２のシートとなるものであって、ＰＶＣ（ポリ塩化ビニル）等からなり、ラベル基材１０の貼着層２０が積層された面のうち、剥離シート４０が貼着された領域を除く全面に貼着層２０によって貼着されている。保護シート３０には、ラベル基材１０側から保護シート２０の厚みの半分の深さのハーフスリット３３がスリット１３に対向して形成されており、その内側がリストバンド部１１に対向した保護部３１、外側が台座部１２に対向した台座部３２となっている。なお、ハーフスリット３３の代わりにミシン目を用いてもよい。
【００２３】
剥離シート４０は、ラベル基材１０に貼着された保護シート３０の長手方向両端部上にその一部が重なっている。また、スリット１３に対向する領域には、保護シート２０とは異なり、ハーフスリット等の切り離し線は形成されておらず、それにより、ラベル基材１０のリストバンド部１１が不用意に脱落してしまう虞を回避している。
【００２４】
以下に、上記のように構成されたリストバンド用積層体１の製造方法について説明する。
【００２５】
図２は、図１に示したリストバンド用積層体１の製造方法を説明するための図である。
【００２６】
図１に示したリストバンド用積層体１を製造する場合はまず、一方の面の全面に貼着層２０を介して剥離シート４０が剥離可能に貼着されたラベル基材１０の他方の面に、印刷を施すことによって印刷層５０を積層し、印刷層５０を覆ってラミネータ６０を積層する（図２（ａ））。この際、ラベル基材１０の一方の面の全面に貼着層２０を介して剥離シート４０が剥離可能に貼着された、いわゆるタック紙やフィルムタックを使用することが考えられる。
【００２７】
次に、剥離シート４０のうち長手方向の両端部から所定の幅だけ内側となる領域のそれぞれにスリット４１を形成する（図２（ｂ））。
【００２８】
次に、剥離シート４０のうち２本のスリット４１に挟まれた領域をラベル基材１０から剥離しながら（図２（ｃ））、剥離シート４０が剥離した領域に貼着層２０を介して保護シート３０を貼着する（図２（ｄ））。この際、保護シート３０は、長手方向の長さが、剥離シート４０が剥離した領域よりも長くなっている。これは、保護シート３０の貼着位置が長手方向にずれた場合、貼着層２０が表出した状態となり、その後、リストバンド部１１を手首等に装着した際に貼着層２０が手首等に接触してトラブルが発生してしまう虞があるためである。これにより剥離シート４０が剥離した領域に保護シート３０を貼着すると、保護シート３０の長手方向両端部が剥離シート４０に一部重なることになる。
【００２９】
その後、剥離シート４０と保護シート３０とが重なっている領域を、ラベル基材１０に貼着された剥離シート４０上に保護シート３０が重なっている状態から、保護シート３０上に剥離シート４０が重なっている状態になるように入れ替え、ラミネータ６０、印刷層５０、ラベル基材１０及び貼着層２０にスリット１３を形成するとともに保護シート２０にハーフスリット３３を形成し、さらにラベル基材１０、貼着層２０及び保護シート２０にミシン目１４を形成する（図２（ｅ））。この際、保護シート３０及び剥離シート４０側の面を支持部材に当接させ、ラミネータ６０側から刃型を入れることでスリット１３及びハーフスリット３３を形成することになるが、保護シート３０の下部と剥離シート４０の下部とで支持部材の表面の硬さを異ならせることで、保護シート３０にはスリット１３に対向してハーフスリット３３が形成され、剥離シート４０には何も形成されない構成とすることができる。
【００３０】
以下に、上記のように製造されたリストバンド用積層体１の使用方法について説明する。
【００３１】
まず、リストバンド用積層体１からリストバンド部１１を分離する際の作用効果について説明する。
【００３２】
図３は、図１に示したリストバンド用積層体１からリストバンド部１１を分離する際の作用効果を説明するための図であり、（ａ）はリストバンド部１１を分離し始める際の表面図、（ｂ）は剥離シート４０上に保護シート３０が重なっている場合の作用を説明するための断面図、（ｂ）は保護シート３０上に剥離シート４０が重なっている場合の作用を説明するための断面図である。
【００３３】
図１に示したリストバンド用積層体１からリストバンド部１１を使用するために分離する場合は、図３（ａ）に示すように、リストバンド部１１の長手方向の一方の端部を分離開始端１１ａとして持ち上げるようにしてリストバンド部１１をスリット１３を介して台座部１２から分離していくと、剥離シート４０がラベル基材１０の長手方向両端部から所定の幅だけに貼着されていることから、リストバンド部１１の分離開始端１１ａに剥離シート４０が剥離可能に貼着されていることで、分離開始端１１ａが剥離シート４０から剥離して台座部１２から分離していく。すなわち、剥離シート４０は、ラベル基材１０長手方向の端部領域のうち、リストバンド部１１の台座部１２からの分離開始端１１ａを含む分離開始端１１ａ側の第１の端部領域に貼着層２０を介して貼着されている。この際、リストバンド部１１はスリット１３を介して台座部１２と分離可能となっていることで台座部１２から分離していくものの、剥離シート４０は、リストバンド部１１に対向する領域と台座部１２に対向する領域とが分離可能となっていないため、リストバンド部１１に対向する領域も台座部１２に貼着されたままの状態となる。
【００３４】
リストバンド部１１の台座部１２からの分離部分が、剥離シート４０と保護シート３０との境界部分に達すると、剥離シート４０上に保護シート３０が重なっている場合は、図３（ｂ）に示すように、保護シート３０のリストバンド部１１に対向する保護部３１が剥離シート４０に引っかかってしまい、それにより、リストバンド部１１と保護部３１とが剥離してしまう。
【００３５】
一方、図１に示したように保護シート３０上に剥離シート４０が重なっている場合は、図３（ｃ）に示すように、保護部３１が剥離シート４０に引っかかることがない。そして、保護シート３０には、保護部３１と台座部３２との境界にハーフスリット３３が形成されていることから、保護部３１は貼着層２０によってリストバンド部１１に貼着されたまま台座部３２から分離していく。
【００３６】
このように本形態においては、ラベル基材１０の剥離シート４０が貼着された領域を除く全面に保護シート３０を貼着する際、保護シート３０のずれを考慮して、ラベル基材１０に貼着された剥離シート４０上に保護シート３０が一部重なるようにしてラベル基材１０に貼着されるものの、その後、剥離シート４０と保護シート３０とが重なっている領域が、ラベル基材１０に貼着された剥離シート４０上に保護シート３０が重なっている状態から、保護シート３０上に剥離シート４０が重なっている状態になるように入れ替えられることにより、保護シート３０のリストバンド部１１に対向する保護部３１が、台座部１２に対向する台座部３２から分離してリストバンド部１１とともに持ち上がる際に剥離シート４０に引っかかることがなくなる。
【００３７】
その後、ラベル基材１０のリストバンド部１１が台座部１２から分離していくとともに、保護シート３０の保護部３１が貼着層２０によってリストバンド部１１に貼着されたまま台座部３２から分離していき、リストバンド部１１の台座部１２からの分離部分が、剥離シート４０と保護シート３０との境界部分に達すると、剥離シート４０がラベル基材１０の長手方向両端部から所定の幅だけに貼着されていることから、リストバンド部１１の分離終了端１１ｂに剥離シート４０が剥離可能に貼着されていることで、分離終了端１１ｂが剥離シート４０から剥離して台座部１２から分離していく。すなわち、剥離シート４０は、ラベル基材１０長手方向の端部領域のうち、リストバンド部１１の台座部１２からの分離終了端１１ｂを含む分離終了端１１ｂ側の第２の端部領域に貼着層２０を介して貼着されている。この際、リストバンド部１１はスリット１３を介して台座部１２と分離可能となっていることで台座部１２から分離していくものの、剥離シート４０は、リストバンド部１１に対向する領域と台座部１２に対向する領域とが分離可能となっていないため、分離開始端１１ａに対向する領域と同様に、リストバンド部１１に対向する領域も台座部１２に貼着されたままの状態となる。
【００３８】
このようにして剥離シート４０から剥離して台座部１２，３２から分離したリストバンド部１１及びこれに貼着された保護部２１は、手首等に巻き付けられて装着される。
【００３９】
図４は、図１に示したリストバンド用積層体１から分離したリストバンド部１１及びこれに貼着された保護部２１の使用状態を示す断面図である。なお、説明をわかりやすくするために、ラミネータ６０及び印刷層５０の図示を省略している。
【００４０】
上記のようにしてリストバンド部１１及びこれに貼着された保護部２１がリストバンド用積層体１から分離すると、リストバンド部１１の長手方向両端部となる分離開始端１１ａ及び分離終了端１１ｂにおいては、剥離シート４０が剥離されることで貼着層２０が表出し、それ以外の領域においては保護部３１が貼着された状態となっている。
【００４１】
そこで、図４に示すように、保護部３１が内側となるようにして手首等に巻き付け、まず、分離終了端１１ｂを、ミシン目１４を中心として保護部３１の対向する領域とともに折り返し、分離終了端１１ｂにて表出した貼着層２０によって分離終了端１１ｂを保護部３１に貼着し、その後、分離開始端１１ａにて表出した貼着層２０によって分離開始端１１ａをリストバンド部１１の内周部分となる領域に貼着する。これにより、リストバンド部１１及びこれに貼着された保護部２１が手首等に巻き付けられた状態で、リストバンド部１１の長手方向両端部にてリストバンド部１１を手首等に固定することができる。また、保護部３１が内側となるようにして手首等に巻き付けられることで、手首等が当接する内側の面に貼着層２０が表出することがなく、それにより、不快感が生じることがなく、皮膚に対するトラブルも回避することができる。さらには、分離終了端１１ｂを折り返す際、ミシン目１４を中心とすることで、折り返し部がずれてしまうことが回避される。
【００４２】
このようにして手首等に装着されたリストバンド部１１及び保護部３１においては、上述したようにミシン目１４をラベル基材１０及び保護シート３０に形成し、保護部３１のミシン目１４に対向する領域を図４に示したようにリストバンド部１１とともに折り返した状態とすること以外に、ミシン目１４をラベル基材１０のみに形成し、保護部３１のミシン目１４に対向する領域をリストバンド部１１から剥離して伸長した状態とすることが考えられる。ただし、保護部３１のミシン目１４に対向する領域をリストバンド部１１から剥離して伸長した状態とした場合は、その領域における厚みを抑えることができるものの、装着に不慣れな場合、リストバンド部１１をうまく固定することができなくなる虞がある。
【００４３】
上述したようなリストバンド用積層体１は、製造効率や使用時における作業効率を向上させるために複数のリストバンド部１１を共通のシートを用いて互いに分離可能に構成することも考えられる。
【００４４】
図５は、本発明のリストバンド用積層体の実際の使用形態の一例を示す図である。
【００４５】
製造効率や使用時における作業効率を向上させるために、図５に示すように、図１に示したリストバンド部１１が１つの台座部１１２に複数配列してなるリストバンド用積層体１０１を用いることが考えられる。
【００４６】
上述したように、図１に示したリストバンド用積層体１においては、リストバンド部１１を分離するために分離開始端１１ａを剥離シート４０から剥離する場合、分離開始端１１ａはスリット１３を介して台座部１２と分離可能となっていることで台座部１２から分離していくものの、剥離シート４０は、分離開始端１１ａに対向する領域と台座部１２に対向する領域とが分離可能となっていないため、分離開始端１１ａに対向する領域も台座部１２に貼着されたままの状態となる。また、剥離シート４０の分離終了端１１ｂに対向する領域も同様に、分離終了端１１ｂはスリット１３を介して台座部１２と分離可能となっていることで台座部１２から分離していくものの、剥離シート４０は、分離終了端１１ｂに対向する領域と台座部１２に対向する領域とが分離可能となっていないため、分離終了端１１ｂに対向する領域も台座部１２に貼着されたままの状態となる。
【００４７】
そのため、図５に示すリストバンド用積層体１０１のように、図１に示したリストバンド部１１が１つの台座部１１２に複数配列してなる構成とした場合でも、リストバンド部１１のそれぞれから剥離した剥離シート４０は、台座部１１２に対向する領域とともに台座部１１２に貼着されたままとなり、それにより、リストバンド部１１毎に剥離シート４０によるごみが発生してしまうことがない。
【００４８】
上述したリストバンド用積層体１において、貼着層２０の構成を工夫することで、リストバンド部１１の装着後の不正な取り外しを検知可能な構成とすることも考えられる。
【００４９】
図６は、図１に示したリストバンド用積層体１においてリストバンド部１１の装着後の不正な取り外しを検知可能とする貼着層２０の一構成例を示す図である。なお、説明をわかりやすくするために、ラミネータ６０及び印刷層５０の図示を省略している。
【００５０】
本例における貼着層２０は図６（ａ）に示すように、ラベル基材１０に剥離剤となるシリコン２２がパターン塗布され、その上に染料が含有された粘着剤２１が塗布されて構成された検知機能を有している。
【００５１】
上記のように構成された貼着層２０を用いてリストバンド部１１及び保護部２１が図４に示したような状態で手首等に装着された後、リストバンド部１１の分離開始端１１ａが剥離されると、図６（ｂ）に示すように、シリコン２２が積層された領域においては、粘着剤２１が分離開始端１１ａに貼着されたリストバンド部１１の内周領域に貼着されたままとなる一方、シリコン２２が積層されていない領域においては、粘着剤２１が分離開始端１１ａとともに、分離開始端１１ａが貼着されたリストバンド部１１の内周領域から剥離されていく。すると、分離開始端１１ａには、粘着剤２１が貼着された領域とシリコン２２によって粘着剤２１が剥離された領域とが混在することとなる。それにより、分離開始端１１ａには、粘着剤２１の有無による色の違いが生じる。そのため、ラベル基材１０を、粘着剤２１の色を視認可能とする材料から構成するとともに、シリコン２２の塗布パターンを細かいものとすることで、リストバンド部１１及び保護部２１が図４に示したような状態で手首等に装着された後、不正に取り外されるために分離開始端１１ａが剥離され、再度貼着されたとしても、それを検知することができるようになる。
【００５２】
また、このような構成を有する貼着層２０を用いたものにおいては、図３（ｂ）に示したように、剥離シート４０上に保護シート３０が重なっていることで、リストバンド部１１を台座部１２から分離する際に、保護シート３０のリストバンド部１１に対向する保護部３１が剥離シート４０に引っかかってリストバンド部１１と保護部３１とが剥離してしまうと、図６（ｃ）に示すように、シリコン２２が積層された領域においては、粘着剤２１が保護部３１に貼着されたままとなる一方、シリコン２２が積層されていない領域においては、粘着剤２１がリストバンド部１１とともに保護部３１から剥離されていく。その場合、リストバンド部１１には、粘着剤２１が貼着された領域とシリコン２２によって粘着剤２１が剥離された領域とが混在し、リストバンド部１１には、粘着剤２１の有無による色の違いが生じてリストバンド部１１ａが不正に剥離したものと判断されてしまうことになる。しかしながら、本形態においては、図３（ｃ）に示したように、保護シート３０上に剥離シート４０が重なっていることで、リストバンド部１１ａを台座部１２から分離する際に、保護部３１が剥離シート４０に引っかかることがないため、リストバンド部１１ａが不正に剥離されたと誤って判断されることを回避できる。
【００５３】
なお、リストバンド部１１が不正に剥離されたことを検知可能とする検知機能としては、上述したようなものに限らず、粘着剤がリストバンド部１１の内周領域に貼着された状態とならずに剥離を検知するもの等、一般的に使用されているものを用いることができる。
【符号の説明】
【００５４】
１，１０１    リストバンド用積層体
１０    ラベル基材
１１    リストバンド部
１１ａ    分離開始端
１１ｂ    分離終了端
１２，３２，１１２    台座部
１３    スリット
２０    貼着層
２１    粘着剤
２２    シリコン
３０    保護シート
３１    保護部
３３    ハーフスリット
４０    剥離シート
５０    印刷層
６０    ラミネータ
【図１】
2019002992.tif 000003
【図２】
2019002992.tif 000004
【図３】
2019002992.tif 000005
【図４】
2019002992.tif 000006
【図５】
2019002992.tif 000007
【図６】
2019002992.tif 000008